(57)【要約】【課題】  小型光ディスク、小型光ディスクにデータを記録するデータ記録装置及びその方法を提供する。【解決手段】  最内周領域から所定領域までの第１記録単位領域と、前記所定領域から最外周領域までの第２記録単位領域とを含み、前記第１記録単位領域には前記第１記録単位領域の所定の一トラックの長さより短い第１記録単位でデータが記録され、前記第２記録単位領域には前記第１記録単位の長さより長い第２記録単位でデータが記録されたことを特徴とする光ディスク。これにより、小型光ディスクに記録されたデータの再生時、エラー訂正能力を向上させうる。【選択図】      図２
2004348946.tif 000002
【特許請求の範囲】
【請求項１】
最内周領域から所定領域までの第１記録単位領域と、
前記所定領域から最外周領域までの第２記録単位領域とを含み、
前記第１記録単位領域には前記第１記録単位領域の所定の一トラックの長さより短い第１記録単位でデータが記録され、前記第２記録単位領域には前記第１記録単位の長さより長い第２記録単位でデータが記録されたことを特徴とする光ディスク。
【請求項２】
前記第１記録単位領域には少なくとも２つの第１記録単位で同一データが反復記録されたことを特徴とする請求項１に記載の光ディスク。
【請求項３】
前記光ディスクには各記録単位のアドレスを示すアドレスデータがさらに記録され、
前記第１記録単位のアドレスを示すアドレスデータの長さは前記第１記録単位の長さと同一であり、前記第２記録単位のアドレスを示すアドレスデータの長さは前記第２記録単位の長さと同一であることを特徴とする請求項１に記載の光ディスク。
【請求項４】
前記第１記録単位の長さ及び前記第１記録単位のアドレスを示すアドレスデータの長さはＬであり、前記第２記録単位の長さ及び前記第２記録単位のアドレスを示すアドレスデータの長さはｎ＊Ｌ（ｎは２以上の整数）であることを特徴とする請求項３に記載の光ディスク。
【請求項５】
前記第２記録単位のアドレスを示すアドレスデータは前記第１記録単位のアドレスを示すアドレスデータの長さＬを持つｎ個のアドレスデータを含んでなることを特徴とする請求項４に記載の光ディスク。
【請求項６】
最内周領域から所定領域までの第１記録単位領域及び前記所定領域から最外周領域までの第２記録単位領域を含む光ディスクにデータを記録する装置において、
光ヘッドと、
前記第１記録単位領域には前記第１記録単位領域の所定の一トラックの長さより短い第１記録単位でデータを記録し、前記第２記録単位領域には前記第１記録単位の長さより長い第２記録単位でデータを記録するように前記光ヘッドを制御する制御部と、を含むことを特徴とするデータ記録装置。
【請求項７】
前記第１記録単位領域のアドレス情報及び前記第２記録単位領域のアドレス情報が保存された光ディスク情報保存部をさらに含み、
前記制御部は、前記光ディスク情報保存部に保存された前記第１記録単位領域のアドレス情報または前記第２記録単位領域のアドレス情報を参照して、前記第１記録単位領域または前記第２記録単位領域にデータを記録するように前記光ヘッドを制御することを特徴とする請求項６に記載のデータ記録装置。
【請求項８】
前記制御部は前記第１記録単位領域にデータを記録する場合、少なくとも２つの第１記録単位に同一データを反復記録するように前記光ヘッドを制御することを特徴とする請求項６に記載のデータ記録装置。
【請求項９】
（ａ）光ディスクの最内周領域から所定領域までの第１記録単位領域または前記所定領域から最外周領域までの第２記録単位領域のうちデータを記録する領域を決定する段階と、
（ｂ）前記第１記録単位領域にデータを記録する場合、前記第１記録単位領域の所定の一トラックの長さより短い第１記録単位でデータを記録する段階と、
（ｃ）前記第２記録単位領域にデータを記録する場合、前記第１記録単位の長さより長い第２記録単位でデータを記録する段階とを含むことを特徴とするデータ記録方法。
【請求項１０】
前記（ｂ）段階は、少なくとも２つの第１記録単位に同一データを反復記録する段階であることを特徴とする請求項９に記載のデータ記録方法。
【請求項１１】
（ａ）光ディスクの最内周領域から所定領域までの第１記録単位領域または前記所定領域から最外周領域までの第２記録単位領域のうちデータを記録する領域を決定する段階と、
（ｂ）前記第１記録単位領域にデータを記録する場合、前記第１記録単位領域の所定の一トラックの長さより短い第１記録単位でデータを記録する段階と、
（ｃ）前記第２記録単位領域にデータを記録する場合、前記第１記録単位の長さより長い第２記録単位でデータを記録する段階とを含むことを特徴とするデータ記録方法を実現するためのプログラムを記録したコンピュータ可読記録媒体。
【発明の詳細な説明】
【技術分野】
【０００１】
本発明は小型光ディスク、小型光ディスクにデータを記録するデータ記録装置及びその方法に関する。
【背景技術】
【０００２】
情報を保存する情報保存媒体には、フロッピー（登録商標）ディスク及びハードディスクのような磁気ディスク、磁気テープ、ＲＯＭやＲＡＭのような半導体メモリチップ及びＣＤ、ＤＶＤのような光ディスクなど多様な種類がある。
【０００３】
このような情報保存媒体のうち光ディスクは、半導体技術及び信号処理技術の発展につれてその情報保存容量が急激に増加しつつあり、その値段も比較的やすくて非常に広範囲に使われている。
【０００４】
一方、光ディスクに記録される情報は一定サイズのブロック単位で記録される。データが記録される単位ブロックはエラー訂正の基本単位であるＥＣＣ（Ｅｒｒｏｒ  Ｃｏｒｒｅｃｔｉｏｎ  Ｃｏｄｅ）ブロックでもある。従来の光ディスクに適用されたＥＣＣブロックのサイズは普通３２ＫＢｙｔｅまたは６４ＫＢｙｔｅのうち一つである。
【０００５】
最近ではカムコーダのような音声だけでなく映像情報まで共に記録及び／または再生できる携帯用電子装置の情報保存媒体として光ディスクを利用しようとする試みがある。
【０００６】
しかし、従来の光ディスクをカムコーダなどの携帯用電子装置に利用するにはいろいろな問題がある。すなわち、現在主に使われる８０ｍｍまたは１２０ｍｍサイズの光ディスクをカムコーダの情報保存媒体として利用するにはあまりにも大きく、かつ電力消費が大きい問題がある。
【０００７】
したがって、カムコーダなどの携帯用電子装置の情報保存媒体として光ディスクを利用するためには、従来の光ディスクよりサイズはさらに小さな一方、データ記録密度はさらに向上した小型の光ディスクが要求される。
【０００８】
しかし、従来の光ディスクと比較してサイズが縮まった小型光ディスクに従来と同じサイズのＥＣＣブロック単位でデータを記録する場合、小型光ディスクの内周領域へのデータ記録時に問題が発生する。
【０００９】
図１は、従来のＥＣＣブロック単位でデータが記録された小型光ディスクの最内周領域を示す図である。小型光ディスクの中心から半径６ｍｍの最内周のデータ記録領域に６４ＫＢｙｔｅのＥＣＣブロック単位で内周から外周方向にデータを記録する場合、一つのＥＣＣブロックは点Ａから点Ｂまでの領域に記録される。すなわち、一つのＥＣＣブロックが最内周領域の約２つのトラックにかけて記録される。このような小型光ディスクの最内周領域に図示されたようにラジアル方向にスクラッチが発生するならば、最内周に記録された一つのＥＣＣブロックに深刻なエラーが発生するようになってエラー訂正能力が顕著に低下してしまう。
【００１０】
すなわち、小型光ディスクの最内周の一トラックに一つのＥＣＣブロックが全部記録されずに２つ以上のトラックにかけて記録される場合、スクラッチなどにより小型光ディスクの最内周領域に欠陥が発生すれば最内周領域に記録されたＥＣＣブロックのエラー訂正能力が顕著に低下してしまう問題がある。
【発明の開示】
【発明が解決しようとする課題】
【００１１】
したがって、本発明が解決しようとする技術的課題は、内周領域に欠陥が発生しても内周領域に記録されたデータのエラー訂正能力を向上させうる小型光ディスクを提供するところにある。
【００１２】
本発明が解決しようとする他の技術的課題は、小型光ディスクに記録されたデータの再生時にエラー訂正能力を向上させうる、小型光ディスクにデータを記録するデータ記録装置及びその方法を提供するところにある。
【課題を解決するための手段】
【００１３】
前記課題を解決するための本発明による光ディスクは、最内周領域から所定領域までの第１記録単位領域と、前記所定領域から最外周領域までの第２記録単位領域と、を含み、前記第１記録単位領域には前記第１記録単位領域の所定の一トラックの長さより短い第１記録単位でデータが記録され、前記第２記録単位領域には前記第１記録単位の長さより長い第２記録単位でデータが記録されたことを特徴とする。
【００１４】
また、前記第１記録単位領域には少なくとも２つの第１記録単位で同一データが反復記録される。
【００１５】
また、前記光ディスクには各記録単位のアドレスを示すアドレスデータがさらに記録され、前記第１記録単位のアドレスを示すアドレスデータの長さは前記第１記録単位の長さと同一であり、前記第２記録単位のアドレスを示すアドレスデータの長さは前記第２記録単位の長さと同一である。
【００１６】
また、前記第２記録単位のアドレスを示すアドレスデータは前記第１記録単位のアドレスを示すアドレスデータの長さＬを持つｎ個のアドレスデータを含んでなることが望ましい。
【００１７】
前記他の課題を解決するための本発明による小型光ディスクにデータを記録するデータ記録装置は、最内周領域から所定領域までの第１記録単位領域及び前記所定領域から最外周領域までの第２記録単位領域を含む光ディスクにデータを記録する装置において、光ヘッドと、前記第１記録単位領域には前記第１記録単位領域の所定の一トラックの長さより短い第１記録単位でデータを記録し、前記第２記録単位領域には前記第１記録単位の長さより長い第２記録単位でデータを記録するように前記光ヘッドを制御する制御部とを含むことを特徴とする。
【００１８】
また、前記第１記録単位領域のアドレス情報及び前記第２記録単位領域のアドレス情報が保存された光ディスク情報保存部をさらに含み、前記制御部は、前記光ディスク情報保存部に保存された前記第１記録単位領域のアドレス情報または前記第２記録単位領域のアドレス情報を参照して、前記第１記録単位領域または前記第２記録単位領域にデータを記録するように前記光ヘッドを制御することが望ましい。
【００１９】
また、前記制御部は前記第１記録単位領域にデータを記録する場合、少なくとも２つの第１記録単位に同一データを反復記録するように前記光ヘッドを制御することを特徴とする。
【００２０】
前記他の課題を解決するための本発明による小型光ディスクにデータを記録するデータ記録方法は、（ａ）光ディスクの最内周領域から所定領域までの第１記録単位領域または前記所定領域から最外周領域までの第２記録単位領域のうちデータを記録する領域を決定する段階と、（ｂ）前記第１記録単位領域にデータを記録する場合、前記第１記録単位領域の所定の一トラックの長さより短い第１記録単位でデータを記録する段階と、（ｃ）前記第２記録単位領域にデータを記録する場合、前記第１記録単位の長さより長い第２記録単位でデータを記録する段階とを含む。
【００２１】
また、前記（ｂ）段階は、少なくとも２つの第１記録単位に同一データを反復記録する段階であることを特徴とする。
【発明の効果】
【００２２】
本発明による小型光ディスクは、最内周の一トラックの長さより短い記録単位でデータが記録され、同じデータが反復記録されることによって内周領域に欠陥が発生しても内周領域に記録されたデータのエラー訂正能力を向上させうる。
【００２３】
また、本発明による小型光ディスクにデータを記録するデータ記録装置及びその方法は、小型光ディスクの最内周の一トラックの長さより短い記録単位でデータを記録し、同じデータを反復記録することによって小型光ディスクに記録されたデータの再生時、エラー訂正能力を向上させうる。
【発明を実施するための最良の形態】
【００２４】
以下、添付された図面を参照して本発明による望ましい実施例を詳細に説明する。
【００２５】
図２は、本発明の望ましい実施例による小型光ディスクを示す図である。小型光ディスク１００には第１記録単位領域１１０及び第２記録単位領域１３０が備えられる。
【００２６】
第１記録単位領域１１０は、データ記録可能な最内周領域から所定領域までの領域である。第１記録単位領域１１０には第１記録単位でデータが記録される。
【００２７】
第２記録単位領域１３０は、第１記録単位領域１１０の次の領域からデータ記録可能な領域の最外周までの領域である。第２記録単位領域１３０には第２記録単位でデータが記録される。
【００２８】
第１記録単位及び第２記録単位はそれぞれ第１記録単位領域１１０及び第２記録単位領域１３０のＥＣＣブロックに該当する。
【００２９】
図３は、第１記録単位及び第２記録単位を示す図である。図３の（ａ）には長さがｌ１である第１記録単位が示されており、図３の（ｂ）には長さがｌ２である第２記録単位が図示されている。
【００３０】
第１記録単位の長さｌ１は第２記録単位の長さｌ２より短く、第１記録単位の長さｌ１は小型光ディスク１００の第１記録単位領域１１０の所定の一トラックの長さより短い。以下では、第１記録単位の長さｌ１は小型光ディスク１００の最内周の一トラックの長さより短い場合を例として説明する。
【００３１】
すなわち、前述したように小型光ディスクの最内周領域に欠陥が発生する場合、最内周領域に記録されたＥＣＣブロックのエラー訂正能力が顕著に落ちる問題を防止するために、小型光ディスク１００の内周領域である第１記録単位領域１１０には小型光ディスク１００の最内周の一トラックの長さより短い第１記録単位でデータを記録し、第２記録単位領域１３０には第１記録単位の長さより長い第２記録単位でデータを記録する。
【００３２】
第２記録単位の長さを第１記録単位の長さと同一にせずにさらに長める理由は、エラー訂正の性能面から見る時、記録単位、すなわちＥＣＣブロックのサイズが大きいほど有利なからである。ＥＣＣブロックのサイズはＥＣＣブロックに記録されるデータ量を意味する。ＥＣＣブロックのサイズが大きいほど光ディスクに記録されるＥＣＣブロックの物理的長さも長くなる。
【００３３】
したがって、第１記録単位領域１１０には、エラー訂正能力が多少低下しても小型光ディスク１００の最内周の一トラックの長さより記録単位が長くなることを防止するために短い第１記録単位でデータを記録し、第２記録単位領域１３０には、第１記録単位の長さより長い第２記録単位でデータを記録する。
【００３４】
一方、小型光ディスク１００にデータを内周から外周方向に記録する場合、内周領域に該当する第１記録単位領域１１０には小型光ディスク１００のリードイン領域に記録されるデータが記録される。一般的に、光ディスクのリードイン領域に記録されるデータは光ディスクの利用に関する重要なデータである。したがって、重要データに対する信頼性確保のために、第１記録単位領域１１０にデータを記録する場合には少なくとも２つ以上の第１記録単位で同一データを反復記録する。
【００３５】
相異なる長さの複数の記録単位でデータを小型光ディスク１００に記録する場合、考慮するべき事項のうち一つとして、各記録単位のアドレスを示すアドレスデータを小型光ディスク１００にいかなる方式で記録するかという問題がある。
【００３６】
図４は、アドレスデータを示すウォッブル信号形態に成形されたディスクトラックを示す図である。
【００３７】
記録単位のアドレスを示すアドレスデータを光ディスクに記録する方式中、アドレス情報をウォッブル変調してウォッブル信号を生成した後、光ディスクのトラックをウォッブル信号と同じ形態に成形することによってアドレス情報を記録する方法がある。ウォッブル変調の方法には、ＭＷ（Ｍｏｎｏｔｏｎｅ  Ｗｏｂｂｌｅ）、ＳＴＷ（Ｓａｗ  Ｔｏｏｔｈ  Ｗｏｂｂｌｅ）、ＢＰＳＫ（Ｂｉｎａｒｙ  Ｐｈａｓｅ  Ｓｈｉｆｔ  Ｋｅｙｉｎｇ）及びＦＳＫ（Ｆｒｅｑｕｅｎｃｙ  Ｓｈｉｆｔ  Ｋｅｙｉｎｇ）などの方法がある。アドレス情報をウォッブル変調する方法は、モータ速度制御などの光ディスクアクセス側面で長所があって光ディスクのアドレス情報記録方式として広く使われる。
【００３８】
図４を参照すれば、単一周波数のサイン波でアドレス情報を変調するＭＷ方式によって生成されたウォッブル信号と同じ形態にトラックが成形されている。トラックの中心には記録データに該当するマークが形成されている。
【００３９】
図示されたように、トラックに成形されて一つの記録単位のアドレスを示すウォッブル信号は一つの記録単位の長さと同じ長さを持つ。
【００４０】
しかし、本発明による小型光ディスク１００には相異なる長さの複数の記録単位でデータが記録されるため問題となる。本発明ではシステムの複雑度及びデータ処理の効率などを考慮して、アドレスデータを第１記録単位の長さに合せて記録する。
【００４１】
図５は、第１記録単位及び第２記録単位に対応するそれぞれのアドレスデータを示す図である。図５の（ａ）は第１記録単位に対応するアドレスデータが第１記録単位の長さｌ１に合せられて記録されたことを示す図面であり、図５の（ｂ）は第２記録単位に対応するアドレスデータが長さｌ１を持つ２つのアドレスデータに分けられて記録されたことを示す図である。
【００４２】
第２記録単位及び第２記録単位に対応するアドレスデータの長さｌ２は第１記録単位の長さｌ１の２倍である。
【００４３】
図５の（ｂ）に示された第１アドレスデータおよび第２アドレスデータはいずれも一つの第２記録単位のアドレスを示す。一つの第２記録単位のアドレスを示すアドレスデータを第１アドレスデータと第２アドレスデータとに分けて記録するための多様な方法がある。例えば、一つのアドレスを示すデータを反復して第１アドレスデータおよび第２アドレスデータとして記録するか、または所定変調方式で変調された一つのアドレスデータを半分に分けて前のデータは第１アドレスデータとして、後のデータは第２アドレスデータとして記録する方法がある。
【００４４】
以下では、本発明による小型光ディスクにデータを記録するデータ記録装置を説明する。
【００４５】
図６は、本発明の望ましい実施例によるデータ記録装置２００のブロック図である。データ記録装置２００は光ヘッド２１０、コーデック２２０、光ディスク情報保存部２４０、制御部２６０、入力データインターフェース部２７０及びユーザーインターフェース部２８０を含む。
【００４６】
光ヘッド２１０は、制御部２６０の制御によって図２に示されたような本発明による小型光ディスク１００に／からデータを記録／再生する。
【００４７】
コーデック２２０は、小型光ディスク１００に記録するデータを所定方式で符号化または変調するか、小型光ディスク１００から再生したデータを所定方式で復号化または復調する。
【００４８】
光ディスク情報保存部２４０には小型光ディスク１００に関する情報が保存される。
【００４９】
図７は、光ディスク情報保存部２４０に保存された小型光ディスク１００に関する情報が記録された光ディスク情報テーブルの一例を示す図である。図７に示された光ディスク情報テーブルには第１記録単位領域情報、第２記録単位領域情報、データ反復記録関連情報及びアドレス情報などが記録される。
【００５０】
第１記録単位領域情報は、小型光ディスク１００の最内周領域から所定領域までの第１記録単位領域に該当する第１記録単位のアドレス情報であり、第２記録単位領域情報は、第２記録単位領域に該当する第２記録単位のアドレス情報である。
【００５１】
データ反復記録関連情報は、第１記録単位領域１１０に同一データを反復記録するために同一データが反復記録される少なくとも２つ以上の第１記録単位のアドレス情報を含む。
【００５２】
アドレス情報は、第１記録単位に対応するアドレスデータおよび第２記録単位に対応するアドレスデータがいかなる方式で記録されたか、またはどのようにデータ処理をして一つのアドレスデータを得られたかを示す情報である。
【００５３】
制御部２２０は、光ディスク情報保存部２４０に保存された前述した光ディスク情報テーブルに記録された第１記録単位領域のアドレス情報及び第２記録単位領域のアドレス情報を参照して、第１記録単位領域１１０には小型光ディスク１００の最内周の一トラックの長さより短い第１記録単位でデータを記録し、第２記録単位領域１３０には第１記録単位の長さより長い第２記録単位でデータを記録するように光ヘッド２１０を制御する。
【００５４】
また、制御部２６０は、第１記録単位領域１１０にデータを記録する場合、少なくとも２つの第１記録単位に同一データを反復記録するように光ヘッド２１０を制御する。
【００５５】
入力データインターフェース部２７０は、小型光ディスク１００に記録するデータを入力されて制御部２２０に提供する。
【００５６】
ユーザインターフェース部２８０は、小型光ディスク１００にデータ記録命令などをユーザから入力されて制御部２６０に提供する。
【００５７】
一方、図６に図示された本発明によるデータ記録装置２００は、データ記録過程との逆過程で小型光ディスク１００に記録されたデータを再生するデータ再生装置としても利用できる。
【００５８】
以上説明したデータ記録装置２００の構造を参照して、本発明による小型光ディスク１００にデータを記録する方法について説明する。
【００５９】
図８は、本発明によるデータ記録方法を示すフローチャートである。
【００６０】
制御部２６０はユーザからデータ記録命令及び記録するデータを入力されて、小型光ディスク１００の第１記録単位領域１１０または第２記録単位領域１３０のうちデータを記録する領域を決定する（第３１０段階）。
【００６１】
第１記録単位領域１１０にデータを記録すると決定されれば（第３３０段階）、制御部２６０の制御によって光ヘッド２１０は小型光ディスク１００の最内周の一トラックの長さより短い第１記録単位でデータを記録する（第３５０段階）。
【００６２】
しかし、第２記録単位領域１３０にデータを記録すると決定されれば（第３３０段階）、制御部２６０の制御によって光ヘッド２１０は第１記録単位の長さより長い第２記録単位でデータを記録する（第３７０段階）。
【００６３】
一方、第３５０段階によって第１記録単位領域１１０にデータを記録する場合、制御部２６０は少なくとも２つの第１記録単位に同一データを反復記録するように光ヘッド２１０を制御する。
【００６４】
また本発明は、コンピュータ可読記録媒体にコンピュータ可読コードで具現できる。コンピュータ可読記録媒体はコンピュータシステムによって再生されるデータが保存されるあらゆる記録装置を含む。コンピュータ可読記録媒体の例には、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じる転送）の形態で具現できるものも含む。またコンピュータ可読記録媒体は、ネットワークに連結されたコンピュータシステムに分散されて、分散方式によりコンピュータ可読コードで保存かつ実行される。
【産業上の利用可能性】
【００６５】
本発明は小型光ディスクおよびその小型光ディスクへのデータ記録およびエラー訂正技術分野に適用できる。
【図面の簡単な説明】
【００６６】
【図１】従来のＥＣＣブロック単位でデータが記録された小型光ディスクの最内周領域を示す図である。
【図２】本発明の望ましい実施例による小型光ディスクを示す図である。
【図３】第１記録単位及び第２記録単位を示す図である。
【図４】アドレスデータを示すウォッブル信号形態に成形されたディスクトラックを示す図である。
【図５】第１記録単位及び第２記録単位に対応するそれぞれのアドレスデータを示す図である。
【図６】本発明の望ましい実施例によるデータ記録装置のブロック図である
【図７】小型光ディスクに関する情報が記録された光ディスク情報テーブルの一例を示す図である。
【図８】本発明によるデータ記録方法を示すフローチャートである。
【符号の説明】
【００６７】
１００  小型光ディスク
１１０  第１記録単位領域
１３０  第２記録単位領域
２００  データ記録装置
２１０  光ヘッド
２２０  コーデック
２４０  光ディスク情報保存部
２６０  制御部
２７０  入力データインターフェース部
２８０  ユーザインターフェース部
【図１】
2004348946.tif 000003
【図２】
2004348946.tif 000004
【図３】
2004348946.tif 000005
【図４】
2004348946.tif 000006
【図５】
2004348946.tif 000007
【図６】
2004348946.tif 000008
【図７】
2004348946.tif 000009
【図８】
2004348946.tif 000010